(57)【要約】      （修正有）【課題】外出先でも水さえあれば、手軽に口腔洗浄剤を使用してうがいをすることが出来るコップ携帯具を提供する。【解決手段】折り畳み縮小化できるとともに組み立ててコップとして使用できる組み立て式コップ１８と口腔洗浄剤の容器２２とを密閉して収容した。ケース１２の内部には、組み立て式コップ１８と口腔洗浄剤の容器２２とを内部に固定するクランプ２６−１，２６−２を有する。ケース１２に口腔洗浄剤の容器２２を一体化することもできる。組み立て式コップ１８と口腔洗浄剤の容器２２をケース１２内部に固定しているので、振動で口腔洗浄剤が容器２２から溢れるのを防止でき、かつケース１２が密閉されているので、内部が常に清潔に保たれる。【選択図】図１
0003153719.tif 000002
【実用新案登録請求の範囲】
【請求項１】
折り畳み縮小化できるとともに組み立ててコップとして使用できる組み立て式コップと口腔洗浄剤の容器とを密閉して収容し、前記組み立て式コップと口腔洗浄剤の容器とを内部に固定するクランプを有するケースからなることを特徴とするコップ携帯具。
【請求項２】
請求項１に記載のコップ携帯具において、
前記ケースは箱状であって、その蓋もしくは本体の一方または双方に、前記組み立て式コップと口腔洗浄剤の容器を固定するクランプを設けたことを特徴とするコップ携帯具。
【請求項３】
請求項１または２に記載のコップ携帯具において、
前記ケースは袋状であって、袋の内部に設けたポケットが前記クランプに該当し、前記口腔洗浄剤は前記ポケットの内部に収容されていることを特徴とするコップ携帯具。
【請求項４】
請求項１乃至３のいずれかに記載のコップ携帯具において、
前記口腔洗浄剤を収容する容器は、一回分の使用量に相当する分量の口腔洗浄剤を取り出すための分室が設けられていることを特徴とするコップ携帯具。
【請求項５】
請求項１乃至４のいずれかに記載のコップ携帯具において、
前記口腔洗浄剤は常温で水溶性の薬剤であることを特徴とするコップ携帯具。
【請求項６】
請求項１乃至５のいずれかに記載のコップ携帯具において、
前記組み立て式コップは前記ケースに着脱自在なクランプにより固定され、前記口腔洗浄剤の容器は前記ケースと一体化されていることを特徴とするコップ携帯具。
【考案の詳細な説明】
【技術分野】
【０００１】
本考案は、外出先でも水さえあれば手軽に口腔洗浄剤を使用してうがいをすることができるコップ携帯具に関する。
【背景技術】
【０００２】
感染症の予防には手洗いやうがいが推奨されている。外出中であっても、洗面所を見付けて手洗いやうがいをしたい。このために、例えば、うがいのための紙コップを洗面所に用意している企業もある。
【先行技術文献】
【特許文献】
【０００３】
【特許文献１】特開２００４−３２３３８１号公報
【特許文献２】特開２００５−９６８５８号公報
【考案の概要】
【考案が解決しようとする課題】
【０００４】
既知の従来の技術には、次のような解決すべき課題があった。
うがいには殺菌効果のある口腔洗浄剤を使用するのが効果的である。うがいをしたのと同様の効果が得られるものとして、携帯用のエアゾール式のうがいぐすりが紹介されている（特許文献１参照）。しかし、コップに水を入れてうがいをしたほうが気持ちがよいし効果も高い。紙コップを使用するにはそれを設置した場所を探さなければならない。紙コップサーバを設置する側としても、設置費用やスペース上の問題がある。紙コップを使わないようにするために、既知の携帯用のコップを使用することが考えられる（特許文献２参照）。これで、廃棄物としての紙コップの処分量を削減できる。
本考案は以上の点に着目してなされたもので、水さえあれば口腔洗浄剤を使用して手軽にうがいをすることができるコップ携帯具を提供することを目的とする。
【課題を解決するための手段】
【０００５】
以下の構成はそれぞれ上記の課題を解決するための手段である。
〈構成１〉
折り畳み縮小化できるとともに組み立ててコップとして使用できる組み立て式コップと口腔洗浄剤の容器とを密閉して収容し、前記組み立て式コップと口腔洗浄剤の容器とを内部に固定するクランプを有するケースからなることを特徴とするコップ携帯具。
【０００６】
〈構成２〉
構成１に記載のコップ携帯具において、前記ケースは箱状であって、その蓋もしくは本体の一方または双方に、前記組み立て式コップと口腔洗浄剤の容器を固定するクランプを設けたことを特徴とするコップ携帯具。
【０００７】
〈構成３〉
構成１または２に記載のコップ携帯具において、前記ケースは袋状であって、袋の内部に設けたポケットが前記クランプに該当し、前記口腔洗浄剤は前記ポケットの内部に収容されていることを特徴とするコップ携帯具。
【０００８】
〈構成４〉
構成１乃至３のいずれかに記載のコップ携帯具において、前記口腔洗浄剤を収容する容器は、一回分の使用量に相当する分量の口腔洗浄剤を取り出すための分室が設けられていることを特徴とするコップ携帯具。
【０００９】
〈構成５〉
構成１乃至４のいずれかに記載のコップ携帯具において、前記口腔洗浄剤は常温で水溶性の薬剤であることを特徴とするコップ携帯具。
【００１０】
〈構成６〉
構成１乃至５のいずれかに記載のコップ携帯具において、前記組み立て式コップは前記ケースに着脱自在なクランプにより固定され、前記口腔洗浄剤の容器は前記ケースと一体化されていることを特徴とするコップ携帯具。
【考案の効果】
【００１１】
〈構成１の効果〉
組み立て式コップと口腔洗浄剤の容器を収容しているので、水さえあれば、外出中でも簡単にうがいをすることができる。組み立て式コップと口腔洗浄剤の容器をケース内部に固定しているので、振動で口腔洗浄剤が容器から溢れるのを防止できる。ケースが密閉されているので、内部が常に清潔に保たれる。
〈構成２の効果〉
ケースの中に組み立て式コップと口腔洗浄剤の容器を並べて収容する場合に、蓋も本体もその固定に利用することで、様々なデザインのケースを使用できる。
〈構成３の効果〉
ポーチのような袋状のケースでも、口腔洗浄剤の容器を収容して利用できる。
〈構成４の効果〉
一回分の使用量に相当する分量の口腔洗浄剤を簡単にとりだせれば、外出先等での操作が非常に便利になる。
〈構成５の効果〉
コップに水をいれてそのまま溶かすことができれば、簡単にうがいができる。
〈構成５の効果〉
〈構成６の効果〉
ケース自体が水筒のように口腔洗浄剤の容器を一体化した構造になっていると、容器の管理が不要で、ケースも小型化できる。
【図面の簡単な説明】
【００１２】
【図１】実施例１のコップ携帯具１０を示す図で、（ａ）はコップ携帯具１０の蓋１６を開いた状態の斜視図、（ｂ）はケース１２の外観斜視図、（ｃ）は組み立て式コップ１８を組み立てた状態の側面図である。
【図２】実施例２のコップ携帯具１０を示し、（ａ）はケース１２の外観斜視図、（ｂ）はコップ携帯具１０の蓋１６を開いた状態の正面図、（ｃ）はクランプと容器２２のキャップ２４の主要部正面図である。
【図３】実施例３のコップ携帯具１０を示し、（ａ）は外観斜視図、（ｂ）は内部の部分斜視図、（ｃ）はその変形例の部分斜視図である。
【図４】口腔洗浄剤の種類と容器の各種変形例を示す斜視図である。
【図５】実施例５のコップ携帯具１０を示し、（ａ）はその外観斜視図、（ｂ）は蓋を除外した状態の斜視図である。
【考案を実施するための形態】
【００１３】
以下、本考案の実施の形態を実施例毎に詳細に説明する。
【実施例１】
【００１４】
図１は実施例１のコップ携帯具１０を示す図で、（ａ）はコップ携帯具１０の蓋１６を開いた状態の斜視図、（ｂ）はケース１２の外観斜視図、（ｃ）は組み立て式コップ１８を組み立てた状態の側面図である。
図に示すように、コップ携帯具１０は、ケース１２の中に、組み立て式コップ１８と口腔洗浄剤の容器２２とを収容している。組み立て式コップ１８は、折り畳み縮小化できるとともに組み立ててコップとして使用できるものである。
【００１５】
こうした組み立て式コップ１８は、紙、プラスチック、その他任意の材料で作られる。この実施例のものは大小のリングを嵌め合わせたもので、使用時に図の（ｃ）に示すように伸ばして組み立てられる。例えば、このほかに、蛇腹状に伸縮できるもの、平坦に折りたたまれる構造のもの等がある。いずれも、抗菌処理がされていること、繰り返し使用できる耐久性があるものが好ましい。これにより、うがい用の紙コップ等の廃棄物量を減少させることができる。
【００１６】
口腔洗浄剤は、この実施例では液体のものを使用し、プラスチック等の容器２２に収容されている。ケース１２は、組み立て式コップ１８と口腔洗浄剤の容器２２を内部に密閉して収容できる構造のものである。携帯用であるから、十分に小型軽量になるよう、プラスチック等により製造されるとよい。開閉はフック２８を操作して行う。フック２８は既知の各種の構造を採用するとよい。
【００１７】
ケース１２は、この実施例では箱状のものとした。図のように、ケース１２の本体１４や蓋１６の内部に、組み立て式コップ１８を固定するためのクランプ２６−１と、口腔洗浄剤の容器２２を固定するためのクランプ２６−２を設けている。クランプの構造も、適宜任意に変更して構わない。また、蓋１６の内面には鏡３０を取り付けた。
【００１８】
図の（ｂ）に示すように、蓋１６を閉じると、携帯に便利なコンパクトな状態に収まる。また、使用時には、（ｃ）に示すように、蓋１６を明けて組み立て式コップ１８を組み立ててる。もちろん、組み立て式コップ１８を取り出すこともできる。さらに、容器２２を取り出し、容器２２のキャップ２４を外す。そして、例えば、組み立て式コップ１８中の水に、容器２２から口腔洗浄剤を一滴投入する。その後、組み立て式コップ１８を持ち上げてうがいをするとよい。
【００１９】
以上の構成のコップ携帯具１０は、組み立て式コップ１８と口腔洗浄剤の容器２２を収容しているので、水さえあれば、外出中でも簡単にうがいをすることができる。組み立て式コップ１８と口腔洗浄剤の容器２２を、それぞれケース１２の内部にクランプを用いて固定しているので、振動で両者がぶつかり合って、口腔洗浄剤２０が容器２２から溢れるのを防止できる。また、ケース１２が密閉されているので、内部が常に清潔に保たれる。
【実施例２】
【００２０】
図２は実施例２のコップ携帯具１０を示し、（ａ）はケース１２の外観斜視図、（ｂ）はコップ携帯具１０の蓋１６を開いた状態の正面図、（ｃ）はクランプと容器２２のキャップ２４の主要部正面図である。
図の実施例のケース１２は全体として円筒状のものである。その蓋１６もしくは本体１４に、それぞれ、組み立て式コップ１８と口腔洗浄剤の容器２２を固定するためのクランプ２６を設けた。
【００２１】
従って、図の（ｂ）に示すように、蓋１６を開くと、口腔洗浄剤の容器２２がすぐに取り出せるところに見える。この実施例では容器２２は筒状であるが、蓋１６の内面全体に広がる円板状のものでもよい。なお、この例では、容器２２が蓋１６の内面から簡単に脱落しないように、図の（ｃ）に示すようなクランプ２６−３を設けた。このクランプ２６−３には、突起２７−１が設けられている。この突起２７−１がキャップ２４に設けられた凹部２７−２にはまり込む。クランプ２６−３を弾力のあるプラスチックにしておけばよい。
【００２２】
容器２２の端（図の下端）も同様の構造で支持されるとよい。ケース１２の中に組み立て式コップ１８と口腔洗浄剤の容器２２を収容する場合に、蓋１６の内面も利用すると、様々なケース１２をデザインすることができる。
【実施例３】
【００２３】
図３は実施例３のコップ携帯具１０を示し、（ａ）は外観斜視図、（ｂ）は内部の部分斜視図、（ｃ）はその変形例の部分斜視図である。
この実施例では、ケースは袋状のものとした。袋３２の内部に、組み立て式コップ１８と容器２２とを収容する。図の（ｂ）に示すように、袋３２の内部には、ポケット３４−１が設けられている。このポケット３４−１が、実施例１のケース内部に設けられたクランプ２６に相当する。口腔洗浄剤の容器２２はポケット３４−１の内部に収容されている。図の（ｃ）の例では、筒状の口腔洗浄剤の容器２２を、ポケット３４−２に差し込むようにしている。同様にして、組み立て式コップ１８を収納するポケットを設けてもよい。
【００２４】
上記のように、ポーチのような袋状のケースでも、口腔洗浄剤の容器２２を収容して利用できる。袋３２の内部の他の部分には、破線の円Ａの場所に組み立て式コップ１８を収納する。このようにして、袋３２の中に口腔洗浄剤の容器２２を固定すれば、実施例１のものと同様に、運搬中に口腔洗浄剤の容器２２に衝撃が加わるのを防止できる。
【実施例４】
【００２５】
図４は口腔洗浄剤の種類と容器の各種変形例を示す斜視図である。
口腔洗浄剤には、液体、錠剤、顆粒、シート状のものがある。いずれでも構わない。口腔洗浄剤は常温で水溶性の薬剤であることが好ましい。コップに水をいれてすぐそのまま溶かすことができれば、簡単にうがいができる。これらの口腔洗浄剤は、それぞれ図の（ａ）〜（ｄ）に示すような容器４１〜４４に収容される。これらの容器は、一回分の使用量に相当する分量の口腔洗浄剤が簡単に取り出される構造のものが好ましい。
【００２６】
例えば、液体であればワンプッシュで一滴だけ吐出するノズルを設ける。図の（ａ）に示すように、一回分の使用量に相当する分量の口腔洗浄剤２０−１を取り出すための分室３８を設けておくとよい。この分室３８は、容器４１の内部を仕切り板３９で仕切って設ける。分室３８の容量の半分位が一回分の使用量になるようにして、この分室３８に移動した口腔洗浄剤２０−１の分量を確認してから、容器４１を押しつぶして口腔洗浄剤２０−１を吐出させればよい。
【００２７】
全く同じ構造の分室３８を設けておけば、顆粒状の口腔洗浄剤２０−２も、定量ずつ振り出しできる。予め、容器４２を振って、分室３８に一回分の使用量の口腔洗浄剤２０−２を移動させておく。その後、容器のキャップ（図示しない）を外して容器を逆さまにして振る。一振りで仕切り板３９を越えて分室３８に移動する量を、とりだし口から排出される量に比べて十分に少なくしておくとよい。
【００２８】
錠剤式の口腔洗浄剤２０−３は、図の（ｃ）に示すように、容器４３のとりだし口を適当な大きさに選定すると、一個ずつ取り出せる。シート状の口腔洗浄剤２０−４は、図の（ｄ）に示すように、容器４４にシートを一枚ずつ取り出すスリットを設けるとよい。一回分の使用量に相当する分量の口腔洗浄剤２０を簡単にとりだせれば、外出先等での操作が非常に便利になる。
【実施例５】
【００２９】
図５は実施例５のコップ携帯具１０を示し、（ａ）はその外観斜視図、（ｂ）は蓋を除外した状態の斜視図である。
図の（ｂ）に示すように、組み立て式コップ１８は本体１４に丁度収まるサイズになっており、本体１４の内壁が、このコップ１８を着脱自在に固定するクランプの役割をはたしている。そして、口腔洗浄剤の容器２２−５は、本体１４の一隅で本体１４と一体化されている。本体１４の外側面には口腔洗浄剤を取り出すための注ぎ口４６が設けられている。なお、この注ぎ口４６は、本体１４の外側面から飛び出さないように設けてもよい。
【００３０】
携帯用としてケースとコップとを一体化することもできる。しかし、コップは洗浄等のためにケースから簡単に着脱できることが好ましい。一方、ケース１２自体が水筒のように口腔洗浄剤の容器２２を一体化した構造になっていると、口腔洗浄剤２０の収容能力を増やすこともできる。また、ケース１２の空きスペースを利用すると、ケース１２の小型化を図ることもできる。さらに口腔洗浄剤の容器の管理が不要になる。
【符号の説明】
【００３１】
１０  コップ携帯具
１２  ケース
１４  本体
１６  蓋
１８  組み立て式コップ
２０−１  口腔洗浄剤
２０−２  口腔洗浄剤
２０−３  口腔洗浄剤
２０−４  口腔洗浄剤
２２  容器
２４  キャップ
２６  クランプ
２６−１  クランプ
２６−２  クランプ
２６−３  クランプ
２７−１  突起
２７−２  凹部
２８  フック
３０  鏡
３２  袋
３４−１  ポケット
３４−２  ポケット
３８  分室
３９  仕切り板
４１  容器
４２  容器
４３  容器
４４  容器
４６  注ぎ口
【図１】
0003153719.tif 000003
【図２】
0003153719.tif 000004
【図３】
0003153719.tif 000005
【図４】
0003153719.tif 000006
【図５】
0003153719.tif 000007